(57)【要約】【課題】仕向地に応じてＩＦ周波数を変更するためには、固定抵抗を選択して取り付ける必要があり、組立作業が煩わしく効率が良くないという課題があった。【解決手段】工場モードの実行時、マイコン７０は、チューナ１０が対応する仕向地をＩＩＣバス６０を介して識別するとともに、ＩＦＩＣ３０にて生成する中間周波信号のＩＦ周波数を上記仕向地に対応させるため、出荷後の通常使用時には仕向地に適したＩＦ周波数で中間周波信号処理を実行することができる。従って、部品交換作業などが不要となり、テレビジョン組立作業の効率化を図ることが可能となる。【選択図】  図２
2006295691.tif 000002
【特許請求の範囲】
【請求項１】
所定の仕向地にて放送信号を受信可能なチューナと、この受信した放送信号に基づいて仕向地に対応する周波数の中間周波信号を生成して出力する中間周波信号出力ＩＣとを備え、この出力される中間周波信号に信号処理を施して上記放送信号に基づく映像をディスプレイに出力するとともに、所定操作を検知したときには工場モードを実行するテレビジョンにおいて、
上記中間周波信号出力ＩＣは、所定の端子がハイレベルのときにＩＦ周波数を４５．７５ＭＨｚとして中間周波信号処理を実行するとともに、ローレベルのときにＩＦ周波数を５８．７５ＭＨｚとして中間周波信号処理を実行し、他の所定の端子がハイレベルのときに４．５ＭＨｚのトラップをオンにするとともに、ローレベルのときに同トラップをオフにし、
当該テレビジョンを制御するとともに、ＩＩＣバスを介して上記チューナに接続され、上記工場モードを実行するとき、同チューナが対応する仕向地を同ＩＩＣバスを介して識別するとともに、同中間周波信号出力ＩＣにて生成する中間周波信号の周波数を上記仕向地に対応させるマイコンを具備することを特徴とするテレビジョン。
【請求項２】
所定の仕向地にて放送信号を受信可能なチューナと、この受信した放送信号に基づいて仕向地に対応するＩＦ周波数の中間周波信号を生成して出力する中間周波信号出力回路とを備え、この出力される中間周波信号に信号処理を施して上記放送信号に基づく映像をディスプレイに出力するテレビジョンにおいて、
上記チューナが対応する仕向地を識別する仕向地識別手段と、
上記中間周波信号出力回路にて生成する中間周波信号のＩＦ周波数を上記仕向地に対応させる周波数制御手段とを具備することを特徴とするテレビジョン。
【請求項３】
当該テレビジョンは所定操作を検知したときに工場モードを実行し、この工場モードが実行されるとき、上記仕向地識別手段は、上記チューナが対応する仕向地を識別するとともに、周波数制御手段は、上記中間周波信号出力回路にて生成する中間周波信号のＩＦ周波数を上記仕向地に対応させることを特徴とする上記請求項２に記載のテレビジョン。
【請求項４】
上記仕向地識別手段と周波数制御手段とは、当該テレビジョンを制御するマイコンに備えられることを特徴とする上記請求項２または請求項３のいずれかに記載のテレビジョン。
【請求項５】
上記中間周波信号出力回路は、パッケージＩＣにより構成され、複数のＩＦ周波数に基づく中間周波信号処理が可能であるとともに、所定周波数をターゲットとしたトラップのオンオフが可能であることを特徴とする上記請求項４に記載のテレビジョン。
【請求項６】
上記中間周波信号出力回路は、所定の端子がハイレベルのときにＩＦ周波数を４５．７５ＭＨｚとし、ローレベルのときにＩＦ周波数を５８．７５ＭＨｚとするとともに、
他の所定の端子がハイレベルのときに４．５ＭＨｚのトラップをオンにし、ローレベルのときに同トラップをオフにすることを特徴とする上記請求項５に記載のテレビジョン。
【請求項７】
上記仕向地識別手段は、ＩＩＣバスを介して上記チューナに接続され、同ＩＩＣバスを介して同チューナが対応する仕向地を識別することを特徴とする上記請求項２〜請求項６のいずれかに記載のテレビジョン。
【発明の詳細な説明】
【技術分野】
【０００１】
本発明は、テレビジョンに関し、特に、所定の仕向地にて放送信号を受信可能なチューナと、この受信した放送信号に基づいて仕向地に対応する周波数の中間周波信号を生成して出力する中間周波信号出力回路とを備え、この出力される中間周波信号に信号処理を施して上記放送信号に基づく映像をディスプレイに出力するテレビジョンに関する。
【背景技術】
【０００２】
従来のテレビジョンでは、所定の仕向地専用のチューナと、複数の仕向地に対応可能な中間周波信号出力ＩＣとを採用しており、チューナが所定の仕向地で受信する放送信号に基づいて、中間周波信号出力ＩＣは、同仕向地に応じた中間周波信号を生成して出力している。
例えば、日本と米国とでは中間周波信号の周波数が異なることから、中間周波信号出力ＩＣの所定端子における電圧レベルを上下動させることで対応している。このため、テレビジョンの組立工程では、ＩＣ端子の電圧レベルに応じた固定抵抗を選択して取り付けていた。
なお、特許文献１には、仕向地に応じて信号処理回路を切り換えるＶＴＲ装置が開示され、特許文献２には、チューナが対応する仕向地をマイコンで識別するテレビジョン受像機が開示されている。
【特許文献１】特開２０００−３２３７６号公報
【特許文献２】特開平１０−２９４９０３号公報
【発明の開示】
【発明が解決しようとする課題】
【０００３】
上述した従来のテレビジョンにおいては、チューナの仕向地に応じて固定抵抗を選択して取り付ける必要があり、組立作業が煩わしく効率が良くないという課題があった。
本発明は、上記課題にかんがみてなされたもので、組立作業の効率化が可能なテレビジョンの提供を目的とする。
【課題を解決するための手段】
【０００４】
上記目的を達成するため、請求項１にかかる発明は、所定の仕向地にて放送信号を受信可能なチューナと、この受信した放送信号に基づいて仕向地に対応する周波数の中間周波信号を生成して出力する中間周波信号出力ＩＣとを備え、この出力される中間周波信号に信号処理を施して上記放送信号に基づく映像をディスプレイに出力するとともに、所定操作を検知したときには工場モードを実行するテレビジョンにおいて、上記中間周波信号出力ＩＣは、所定の端子がハイレベルのときにＩＦ周波数を４５．７５ＭＨｚとして中間周波信号処理を実行するとともに、ローレベルのときにＩＦ周波数を５８．７５ＭＨｚとして中間周波信号処理を実行し、他の所定の端子がハイレベルのときに４．５ＭＨｚのトラップをオンにするとともに、ローレベルのときに同トラップをオフにし、当該テレビジョンを制御するとともに、ＩＩＣバスを介して上記チューナに接続され、上記工場モードを実行するとき、同チューナが対応する仕向地を同ＩＩＣバスを介して識別するとともに、同中間周波信号出力ＩＣにて生成する中間周波信号の周波数を上記仕向地に対応させるマイコンを具備する構成としてある。
【０００５】
上記のように構成した請求項１にかかる発明においては、当該テレビジョンでは工場作業者が所定操作を行うと、同操作を検知して工場モードを実行する。
このとき、マイコンは、チューナが対応する仕向地をＩＩＣバスを介して識別するとともに、中間周波信号出力ＩＣにて生成する中間周波信号のＩＦ周波数を上記仕向地に対応させる。
上記中間周波信号出力ＩＣでは、所定の端子がハイレベルになると、ＩＦ周波数を４５．７５ＭＨｚとして中間周波信号処理を実行する。ローレベルになると、ＩＦ周波数を５８．７５ＭＨｚとして中間周波信号処理を実行する。
【０００６】
また、仕向地に対応するテレビチャンネルの割り当てに応じて、他の所定の端子がハイレベルのときには４．５ＭＨｚのトラップをオンにし、ローレベルのときには同トラップをオフにする。例えば、チューナの対応仕向地でテレビチャンネルが連続的に割り当てられている場合には、トラップをオンにして隣接チャンネルを含む所要チャンネルの一部に対応する周波数帯域の放送信号が遮断できるように設定する。その一方、チューナの対応仕向地でテレビチャンネルが間欠的に割り当てられている場合には、隣接チャンネルにおける放送信号が混在するおそれがないため、トラップをオフにして所要チャンネルに対応する周波数帯域の放送信号が確実に取得できるように設定する。
【０００７】
このため、当該テレビジョンにおける通常操作では、ＩＩＣバスを介したマイコン制御に基づいて次のような動作が実行可能となる。
チューナは当該テレビジョンの設置場所に対応する仕向地に応じて放送信号を受信し、中間周波信号出力ＩＣは同放送信号に基づいて仕向地に対応する周波数の中間周波信号を生成して出力する。すると、この出力される中間周波信号に信号処理が施され、ディスプレイでは上記放送信号に基づく映像が出力される。
また、４．５ＭＨｚのトラップがオンになった場合には、隣接チャンネルを含む所要チャンネルの一部に対応する放送信号を遮断しつつ中間周波信号処理を実行する。４．５ＭＨｚのトラップがオフになった場合には、所要チャンネルに対応する放送信号に中間周波信号処理を実行する。
【０００８】
本発明は中間周波信号の周波数を仕向地に対応させることができれば良いとの観点から、請求項１の趣旨を広い意味合いで捕らえることも可能であり、請求項２にかかる発明は、所定の仕向地にて放送信号を受信可能なチューナと、この受信した放送信号に基づいて仕向地に対応する周波数の中間周波信号を生成して出力する中間周波信号出力回路とを備え、この出力される中間周波信号に信号処理を施して上記放送信号に基づく映像をディスプレイに出力するテレビジョンにおいて、上記チューナが対応する仕向地を識別する仕向地識別手段と、上記中間周波信号出力回路にて生成する中間周波信号の周波数を上記仕向地に対応させる周波数制御手段とを具備する構成としてある。
【０００９】
上記のように構成した請求項２にかかる発明において、仕向地識別手段はチューナが対応する仕向地を識別し、周波数制御手段は中間周波信号出力回路にて生成する中間周波信号の周波数を同仕向地に対応させる。
すると、当該テレビジョンでは、チューナは設置場所に対応する仕向地に応じて放送信号を受信し、中間周波信号出力回路は同放送信号に基づいて仕向地に対応する周波数の中間周波信号を生成して出力する。すると、この出力される中間周波信号に信号処理が施され、ディスプレイでは上記放送信号に基づく映像が出力される。
【００１０】
上記仕向地識別手段および周波数制御手段の実行タイミングの一例として、請求項３にかかる発明は、上記請求項２に記載のテレビジョンにおいて、当該テレビジョンは所定操作を検知したときに工場モードを実行し、この工場モードが実行されるとき、上記仕向地識別手段は、上記チューナが対応する仕向地を識別するとともに、周波数制御手段は、上記中間周波信号出力回路にて生成する中間周波信号の周波数を上記仕向地に対応させる構成としてある。
上記のように構成した請求項３にかかる発明において、当該テレビジョンでは工場作業者が所定操作を行うと、同操作を検知して工場モードを実行する。
【００１１】
このとき、上記仕向地識別手段は、上記チューナが対応する仕向地を識別するとともに、周波数制御手段は、上記中間周波信号出力回路にて生成する中間周波信号の周波数を上記仕向地に対応させる。従って、工場出荷前に行われる調整工程の効率化を図ることが可能となる。
なお、請求項２は、通常動作時、仕向地に応じた周波数の中間周波信号を生成して信号処理することができれば良いとの観点から、上記仕向地識別手段および周波数制御手段は、請求項３以外のタイミングで実行するものであっても良く、例えば、工場出荷後に実行されるなどしても良い。
【００１２】
上記仕向地識別手段および周波数制御手段の具体構成の一例として、請求項４にかかる発明は、上記請求項２または請求項３のいずれかに記載のテレビジョンにおいて、上記仕向地識別手段と周波数制御手段とは、当該テレビジョンを制御するマイコンに備えられる構成としてある。
上記のように構成した請求項４にかかる発明において、マイコンはチューナが対応する仕向地を識別するとともに、中間周波信号出力回路にて生成する中間周波信号の周波数を同仕向地に対応させる。このため、テレビジョン内に既設の構成を利用して上記仕向地識別手段および周波数制御手段を実現することが可能となる。
【００１３】
また、上記仕向地識別手段および周波数制御手段の実行手法の一例として、請求項５にかかる発明は、上記請求項４に記載のテレビジョンにおいて、上記中間周波信号出力回路は、パッケージＩＣにより構成され、複数のＩＦ周波数に基づく中間周波信号処理が可能であるとともに、所定周波数をターゲットとしたトラップのオンオフが可能である構成としてある。
上記のように構成した請求項５にかかる発明において、上記中間周波信号出力回路はパッケージＩＣにより構成されているため、マイコン制御でＩＣ端子の電圧レベルを変化させることにより、複数のＩＦ周波数の中のいずれかのＩＦ周波数に基づく中間周波信号処理が実現されるとともに、所定周波数をターゲットとしたトラップのオンオフ制御も実現される。
【００１４】
請求項５にかかる制御手法の一例として、請求項６にかかる発明は、上記請求項５に記載のテレビジョンにおいて、上記中間周波信号出力回路は、所定の端子がハイレベルのときにＩＦ周波数を４５．７５ＭＨｚとし、ローレベルのときにＩＦ周波数を５８．７５ＭＨｚとするとともに、他の所定の端子がハイレベルのときに４．５ＭＨｚのトラップをオンにし、ローレベルのときに同トラップをオフにする構成としてある。
【００１５】
上記のように構成した請求項６にかかる発明においては、マイコン制御により所定の端子をハイレベルにすると、上記中間周波信号出力回路はＩＦ周波数を４５．７５ＭＨｚとし、ローレベルにすると、同中間周波信号出力回路はＩＦ周波数を５８．７５ＭＨｚとする。
また、他の所定の端子をハイレベルにすると、同中間周波信号出力回路は４．５ＭＨｚのトラップをオンにし、ローレベルにすると、同中間周波信号出力回路は同トラップをオフにする。
従って、中間周波信号出力回路におけるＩＦ周波数制御およびトラップのオンオフ制御をマイコン制御で容易に実行することが可能となる。
【００１６】
上記仕向地識別手段の実行手法の一例として、請求項７にかかる発明は、上記請求項２〜請求項６のいずれかに記載のテレビジョンにおいて、上記仕向地識別手段は、ＩＩＣバスを介して上記チューナに接続され、同ＩＩＣバスを介して同チューナが対応する仕向地を識別する構成としてある。
上記のように構成した請求項７にかかる発明においては、ＩＩＣバスを介して上記チューナに接続された上記仕向地識別手段は、同ＩＩＣバスを介して同チューナが対応する仕向地を識別する。このため、請求項５と同様に、上記仕向地識別手段および周波数制御手段を実行するための構成を簡易化することが可能となる。
【発明の効果】
【００１７】
以上説明したように請求項１または請求項２は、組立作業の効率化が可能なテレビジョンを提供することができる。
また、請求項３にかかる発明によれば、工場出荷前の調整工程を効率化することができる。
さらに、請求項４にかかる発明によれば、テレビジョン内に既設の構成を利用することができる。
さらに、請求項５または請求項６にかかる発明によれば、ＩＦ周波数制御およびトラップのオンオフ制御を容易に実行できる。
さらに、請求項７にかかる発明によれば、装置構成を簡易化することができる。
【発明の実施の形態】
【００１８】
ここでは、下記の順序に従って本発明の実施形態を説明する。
（１）テレビジョンの概略説明：
（２）仕向地対応設定の説明：
（３）工場モード時の動作説明：
（４）まとめ：
【００１９】
（１）テレビジョンの概略説明：
図１は、本発明の一実施形態にかかるテレビジョンの概略構成をブロック図により示している。なお、本実施形態では、音声系信号に関する説明を省略し、映像系信号について説明する。
同図において、チューナ１０は、アンテナ１１を介してテレビ放送帯域に対応した所望周波数の放送信号を受信し、ＳＡＷフィルタ２０は、チューナ１０にて受信された放送信号から所要の信号を選択する。
ＳＡＷフィルタ２０には中間周波信号出力ＩＣ（ＩＦＩＣ）３０が接続されており、ＩＦＩＣ３０は、ＳＡＷフィルタ２０にて選択された信号を高周波増幅し、中間周波信号に変換して出力する。ここで、ＩＦＩＣ３０は、本発明における中間周波信号出力回路を構成しており、複数の入出力端子を有するパッケージＩＣである。
【００２０】
ＩＦＩＣ３０から出力された中間周波信号はクロマＩＣ４０に供給されると、中間周波増幅されるとともに映像検波される。ここで得られた映像信号は、ＲＧＢ信号に再生されてから、図示しない増幅回路などを介してＣＲＴ５０に供給されると、テレビジョン放送の映像として表示される。なお、ＣＲＴ５０は本発明にいうディスプレイを構成している。
チューナ１０、ＩＦＩＣ３０およびクロマＩＣ４０には、ＩＩＣバス６０を介してマイコン７０が接続されており、このマイコン７０は、チューナ１０への受信周波数の指示やクロマＩＣ４０への信号処理指示など、テレビジョン全体の制御を行っている。
【００２１】
図２は、チューナ１０〜ＩＦＩＣ３０の詳細構成をブロック図により示している。
同図において、マイコン７０には、中間周波信号のＩＦ周波数切替信号出力ポートと、トラップ切替信号出力ポートと、クロック信号出力ポートとを備えている。
ＩＦ周波数切替信号出力ポートは、ＩＦＩＣ３０のＡ番ピンに接続されており、ＩＦＩＣ３０に対してＩＦ周波数を仕向地に応じて切替させるＩＦ周波数切替信号を出力し、ＩＦＩＣ３０のＡ番ピンにおける電圧レベルを上下動させる。
【００２２】
トラップ切替信号出力ポートは、ＩＦＩＣ３０のＢ番ピンに接続されており、ＩＦＩＣ３０に対して４．５ＭＨｚ信号のトラップをオンオフさせるトラップ切替信号を出力し、ＩＦＩＣ３０のＢ番ピンにおける電圧レベルを上下動させる。クロック信号出力ポートは、チューナ１０に接続されるとともに、ＩＦＩＣ３０のＣ番ピンに接続され、３．３７ＭＨｚもしくは３．５８ＭＨｚの外部クロック信号（外部ＣＬＫ）を出力する。
また、上述したように、マイコン７０とチューナ１０との間には、ＩＩＣバス６０が接続されており、相互にデータ送受信が可能となっている。
【００２３】
（２）仕向地対応設定の説明：
本実施形態にかかるテレビジョンでは、仕向地に対応するチューナ１０が選定され、搭載されている。仕向地に応じてテレビジョン放送の信号方式などが異なるためであり、例えば、米国向けの出荷製品であれば、米国仕様のチューナが選定され、日本向けの出荷製品であれば、日本仕様のチューナが選定される。
また、ＩＦＩＣ３０にて生成すべきＩＦ周波数に関しても仕向地に応じて異なる。このため、当該テレビジョンにおいては、いずれの仕向地に対応したチューナを採用した場合であっても、マイコン制御により同チューナの仕向地に応じたＩＦ周波数の中間周波信号を生成して出力する。例えば、仕向地が米国の場合にはＩＦ周波数４５．７５ＭＨｚを採用し、日本の場合にはＩＦ周波数５８．７５ＭＨｚを採用する。
【００２４】
ＩＦＩＣ３０においては、仕向地対応設定の作業時（後述する工場モード時）、Ａ番ピンおよびＢ番ピンを監視する。
Ａ番ピンの電圧レベルがハイレベルになると、米国対応のＩＦ周波数４５．７５ＭＨｚを選択して中間周波信号処理を実行する。また、Ａ番ピンの電圧レベルがローレベルになると、日本対応のＩＦ周波数５８．７５ＭＨｚを選択して中間周波信号処理を実行する。また、Ｂ番ピンに外部クロック信号が入力されると、この入力される外部クロック信号を採用する。
【００２５】
（３）工場モード時の動作説明：
マイコン７０は、工場出荷前に作業者により通常は操作されない組み合わせのキー操作がリモコンにて行われると、この操作を検出して工場モードを実行し、音量設定や画面設定などの初期設定を行う。この初期設定の一部として、図３に示すような仕向地対応設定は実行される。同図に示す制御を実行するマイコン７０は、本発明にいう仕向地識別手段と周波数制御手段を構成する。
マイコン７０は、工場モードを開始すると、ＩＩＣバス６０を介してチューナ１０から仕向地データを取得し、このチューナ１０が対応する仕向地を識別する（ステップＳ１００，Ｓ１１０）。
チューナ１０が米国向けの場合、マイコン７０は、ＩＦ周波数切替信号出力ポートを介してＩＦＩＣ３０のＡ番ピンの電圧レベルをハイレベルに設定する（ステップＳ１２０，Ｓ１３０）。すると、ＩＦＩＣ３０ではＡ番ピンのハイレベルを検知して米国対応のＩＦ周波数４５．７５ＭＨｚで中間周波信号処理を実行する。
【００２６】
このとき、マイコン７０は、クロック信号出力ポートを介してチューナ１０とＩＦＩＣ３０のＣ番ピンとに対して、３．３７ＭＨｚの外部クロック信号を出力する（ステップＳ１４０）。
また、図示しないＥＥＰＲＯＭなどから仕向地別のテレビチャンネル割り当てデータを取得し、仕向地が米国である場合に隣接するテレビチャンネルが連続使用されることを検知すると、マイコン７０は、トラップ切替信号出力ポートを介してＩＦＩＣ３０のＢ番ピンの電圧レベルをハイレベルに設定する（ステップＳ１５０）。すると、ＩＦＩＣ３０ではＢ番ピンのハイレベルを検知して４．５ＭＨｚ信号のトラップをオンにする。このため、出荷後の通常使用時は、隣接するテレビチャンネルの放送信号が混在しない状態で、所望のテレビチャンネルに対応する放送信号に基づく中間周波信号を出力することが可能となる。
【００２７】
その一方、チューナ１０が日本向けの場合、マイコン７０は、ＩＦ周波数切替信号出力ポートを介してＩＦＩＣ３０のＡ番ピンの電圧レベルをローレベルに設定する（ステップＳ１２０，Ｓ１６０）。すると、ＩＦＩＣ３０ではＡ番ピンのローレベルを検知して日本対応のＩＦ周波数５８．７５ＭＨｚで中間周波信号処理を実行する。
このとき、マイコン７０は、クロック信号出力ポートを介してチューナ１０とＩＦＩＣ３０のＣ番ピンとに対して、３．５８ＭＨｚの外部クロック信号を出力する（ステップＳ１７０）。
【００２８】
また、仕向地が米国である場合に隣接するテレビチャンネルが連続使用されないことを検知すると、マイコン７０は、トラップ切替信号出力ポートを介してＩＦＩＣ３０のＢ番ピンの電圧レベルをローレベルに設定する（ステップＳ１８０）。すると、ＩＦＩＣ３０ではＢ番ピンのローレベルを検知して４．５ＭＨｚ信号のトラップをオフにする。
【００２９】
本実施形態では、仕向地が米国の場合に隣接テレビチャンネルを連続使用し、日本の場合に隣接テレビチャンネルを間欠使用するものとして説明しているが、かかるチャンネル割り当ては一例にすぎない。本発明では、仕向地ごとに異なるテレビチャンネルの割り当てに応じてトラップをオンオフすることにより、隣接するテレビチャンネルの放送信号が混在する周波数帯域を必要に応じて遮断し、所要の放送信号を効果的に取得できれば良く、トラップのオンオフ条件は本実施形態に限定されない。
【００３０】
（４）まとめ：
このように、工場モードの実行時、マイコン７０は、チューナ１０が対応する仕向地をＩＩＣバス６０を介して識別するとともに、ＩＦＩＣ３０にて生成する中間周波信号のＩＦ周波数を上記仕向地に対応させるため、出荷後の通常使用時には仕向地に適したＩＦ周波数で中間周波信号処理を実行することができる。従って、部品交換作業などが不要となり、テレビジョン組立作業の効率化を図ることが可能となる。
【図面の簡単な説明】
【００３１】
【図１】本実施形態にかかるテレビジョンの概略構成を示すブロック図である。
【図２】チューナ〜ＩＦＩＣの詳細構成を示すブロック図である。
【図３】工場モード時のマイコン制御を示すフローチャートである。
【符号の説明】
【００３２】
１０…チューナ
２０…ＳＡＷフィルタ
３０…ＩＦＩＣ
６０…ＩＩＣバス
７０…マイコン
【図１】
2006295691.tif 000003
【図２】
2006295691.tif 000004
【図３】
2006295691.tif 000005